(57)【要約】【課題】ジューサーに濾過が必要な食材をかきまわさせる際、上記カップ容器は大きい容積を保持でき、カップ容器内部でかき回す上記食材を収納でき、ジューサーの使用の便利性を高めるようにさせる。  【解決手段】ジューサーは台座と、台座内に設置される動力ユニットと、動力ユニットにより連動されるカッターと、カップ容器と、カップ容器に設置される蓋体から成り、主にカップ容器の片側の底部に汁を流出させるための注ぎ口が設けられ、また、上記注ぎ口の先端に汁を流出させる栓が設置される。さらに、注ぎ口側のカップ容器内部にフィルター部材が設けられ、フィルター部材がカップ容器内部の片側に設けられる。  【選択図】図５
0003115671.tif 000002
【実用新案登録請求の範囲】
【請求項１】
ジューサーは台座と、台座内に設置される動力ユニットと、カップ容器と、カップ容器に設置され、動力ユニットにより回転できるカッターと、カップ容器の内外に貫通される注ぎ口を少なくとも有す蓋体とを少なくとも含むジューサーにおいて、上記カップ容器の内部が注ぎ口側の内壁に位置され、底部から上へ延設したフィルター部材を設け、且つ、上記フィルター部材とカップ容器の内壁には隙間があることを特徴とするジューサー。
【請求項２】
カップ容器の外側壁がカップ容器の注ぎ口端に栓部材を連接させることを特徴とする請求項1に記載するジューサー。
【請求項３】
カップ容器の内側には対応するスライド溝を有し、上記スライド溝がフィルター部材の嵌め込みに用いられることを特徴とする請求項1に記載するジューサー。
【請求項４】
フィルター部材がフィルターであることを特徴とする請求項1に記載するジューサー。
【請求項５】
フィルターが板状のように形成されることを特徴とする請求項1に記載するジューサー。
【考案の詳細な説明】
【技術分野】
【０００１】
本考案はジューサーに関するものであり、主に上記ジューサーのカップ容器の片側底部には、食材の汁を流出させるため注ぎ口が設けられ、更に注ぎ口側のカップ容器内部にフィルター部材が設けられ、これにより、カップ容器に濾過が必要な食材をかきまわす際に、上記カップ容器は大きい容積を保持でき、ジューサーの使用の便利性を高めるようにさせる。
【背景技術】
【０００２】
近年、栄養の取り過ぎが人々を困らせる問題となってきており、薬によりダイエットをすると、薬の副作用により体の健康が脅かされるため、最近では生命力（vital）療法が特に推奨されている。十分な栄養が得られると共に、肥満にならない場合、幅広い人々に受け入れられる。人々は食べ物の好みが異なるため、ある食材そのものの特有な味が受け入れられない。しかし、本考案のジューサーによりそれを砕いて液体にさせた後、それは飲みやすくなる。従って、ジューサーが普通の家庭で欠かせない家電用品になってきた。従来のジューサーは２種類に分けられる。まず、図１を参照すると、上記ジューサー１はカップ容器１２を台座１１にはめ込み、カップ容器１２の上端の開口箇所に上蓋１３で密閉することにより構成される。また、台座１１の内部にモーターを設け、モーター軸の回転がカップ容器１２内部下端にある一組のカッター１４を回転させ、かつ、カップ容器１２の底部に間隔の突起バンク１５を複数設け、上蓋１３を取り外して食材を入れた後、台座１１端の制御ボタン１５を押すと、モーターが駆動し、カッター１４を回転させるようにする。バンク１５により食材がカッター１４に連動し、同時に回転させられることを回避できる。また、食材を十分に液体状態まで砕き攪拌するために、このようなタイプのカッター１４は幅が広く、普通は濾過しない機能性ドリンクやスムージーに用いられる。液体状態まで砕いた後、カップ容器１２を傾け液体を流出させて飲むことができる、しかし、フィルターが必要な機能性ドリンクに対しては、フィルターを取りながら、液体を出さなければならない。
【０００３】
また、図２を参照すると、上記ジューサー２は大きな絞りかすが出る、例えば豆類に用いられる。台座２１にカップ容器２２がはめ込まれ、さらに台座２１の内部にはモーターを設け、モーターの軸と、カップ容器２２の底部に設置されるカッター２３は結合され、上記カッター２３が短く、カッター２３のハウジングに上へ開放するフィルターバケツ２４を設け、カップ容器２２の上蓋２５の中心部に貫通孔を設け、上記貫通孔に中空状の給料管２６が設置され、且つ、上記給料管２６の下端にフィルターバケツ２４の開口部が挿入され、こうして、給料管２６から豆をフィルターバケツ２４に入れ、台座２１に設置されている制御ボタン２７を押すと、モーターが駆動し、カッター２３を回転でき、豆を液体状態まで砕き攪拌する、またフィルターバケツ２４の設置により、残りカスをフィルターバケツ２４に残留させ、汁はフィルターを通じてカップ容器２２とフィルターバケツ２４の隙間を伝い、この際に、台座２１からカップ容器２２を取り外し、カップ容器２２を傾斜させ、液体を流出させることが必要となる。
【０００４】
上記した２種類のジューサーはフィルターが必要かどうかにより分けられる。メーカーは業務用に用いる顧客に対して、台座に異なる２種類のカップ容器２２を合わせて販売する。この方法により台座の費用は減少するが、ユーザーのそれぞれが同じ製品を選択することは不可能であるからである。したがって、ユーザーは使用する際に、何度もカップ容器を取り替えると共に、毎回使用した後のカップ容器を綺麗に洗わなければならない。特に、フィルターバケツ２４を有するジューサー２は豆類の食材がフィルターバケツ２４で砕かれるので、砕かれた豆類食材の容積がフィルターバケツ２４内に限定され、カップ容器２２では砕かれた有効容積を減少させる、砕かれた有効容積が減少するので、カッター２３を正常に動作させるには、カップ容器２２に十分な水が必要となる。こうして、食材と水の割合が不均一になり、出てくる汁の濃度を不足させる。従って、このようなジューサーは完璧な構造ではなく、一層向上させる必要がある。
【０００５】
上記の欠点を解決するために、考案者は図３のような第９１２１９１５０号の「ジューサーの構造改良」と図４に示す第９２２２１０７７号の「ジューサーの改良」を開発した。それぞれにはカップ容器２２の底面と下側にフィルター２８と注ぎ口２９が設けられ、注ぎ口２９に栓２０が接続される。上記した２種類の考案案は従来の欠点を有効に解決するが、本願の考案人は依然として絶えず研究し、ついに、本考案を見出した。
【考案の開示】
【考案が解決しようとする課題】
【０００６】
本考案はジューサーの構造改良を提供することを目的とする。上記ジューサーは台座と、台座内に設置される動力ユニットと、動力ユニットにより回転できるカッターと、カップ容器と、カップ容器に設置される蓋を少なくとも含み、重要な点はカップ容器の片側底部に、汁を流出させる注ぎ口が設けられ、上記注ぎ口の端には汁を流出させるため栓部材が設置されることである。また、注ぎ口側のカップ容器内にはフィルター部材が設けられ、フィルター部材がカップ体内部の片側の端に設置されることにより、ジューサーに濾過が必要な食材をカットさせる場合、カップ容器の容量を大きくさせ、カップ容器内部でかき回す上記食材を収納でき、ジューサーの使用の便利性を高めるようにさせる。
【課題を解決するための手段】
【０００７】
請求項１の考案は、ジューサーは台座と、台座内に設置される動力ユニットと、カップ容器と、カップ容器に設置され、動力ユニットにより回転できるカッターと、カップ容器の内外に貫通される注ぎ口を少なくとも有す蓋体とを少なくとも含むジューサーにおいて、上記カップ容器の内部が注ぎ口側の内壁に位置され、底部から上へ延設したフィルター部材を設け、且つ、上記フィルター部材とカップ容器の内壁には隙間があることを特徴とするジューサーである。
【０００８】
請求項２の考案は、カップ容器の外側壁がカップ容器の注ぎ口端に栓部材を連接させることを特徴とする請求項1に記載するジューサーである。
【０００９】
請求項３の考案は、カップ容器の内側には対応するスライド溝を有し、上記スライド溝がフィルター部材の嵌め込みに用いられることを特徴とする請求項1に記載するジューサーである。
【００１０】
請求項４の考案は、フィルター部材がフィルターであることを特徴とする請求項1に記載するジューサーである。
【００１１】
請求項５の考案は、フィルターが板状のように形成されることを特徴とする請求項1に記載するジューサーである。
【考案の効果】
【００１２】
本考案の効果はフィルター部材７３がカップ容器７内の側壁に設置されるとともに、上記フィルター部材７３は下から上へ板状のフィルター素子が設けられ、面積が大きいフィルター面を有させ、カップ容器７の食材を速く濾過させた後、注ぎ口７２により栓部材Ｖを通してカップ容器７の外へ流出できると共に、カップ容器７が大きい容積を有し食材を収納できることにある。これにより、ジューサー３の使用の便利性を高めることができる。
【００１３】
本考案は実施例では、図７、８に示すように、カップ容器７の上には一対の対応するスライド溝７４が設けられ、上記フィルター部材７３aはスライド溝７４に嵌め込むことが可能であり、これにより、フィルター部材７３aが自由にスライド溝７４から取り外しすることができ、異なる食材のニーズに応じて異なるフィルターのフィルター部材７３aを取り替えられるようにし、よりジューサー２の汎用性を高めることができる。
【実施例】
【００１４】
図５を参照すると、本考案のジューサー３は台座４と、台座４内に設置される動力ユニット５と、動力ユニット５により回転できるカッター６と、カップ容器７と、カップ容器７に設置される蓋８を少なくとも含む。
【００１５】
台座４は中空状のケースのように形成され、上記中空部が動力ユニット５の容量を収納でき、台座４の上端部がカップ容器７を載置でき、台座４の上には制御ユニット４１が設けられ、上記制御ユニット４１は動力ユニット５の起動、停止及び回転を制御できる。上記動力ユニット５はモーターでもよく、上記動力ユニット５は連動部材５１によりカップ容器７内のカッター６と連接し、上記動力ユニット５により、カッター６を駆動して回転させる。
【００１６】
カップ容器７内の底部にカッター６が設けられ、カップ容器７の外周の片側には取っ手７１が設けられ、上記取っ手７１はカップ容器７を持ち上げるのに用いられ、更に、カップ容器７の底部には注ぎ口７２が設けられ、上記注ぎ口７２がカップ容器７内外を貫通する貫通孔であり、注ぎ口７２の先端部（即ち、外側）に栓部材Ｖが連設され、栓部材Ｖの制御により注ぎ口７２を開放、閉鎖させるようにする。また、カップ容器７の内部の注ぎ口７２側にフィルター部材７３が設けられ、上記フィルター部材７３はカップ容器７の底部から上へ延設され、カップ容器７の内壁とは平行を保つように隙間が形成される。また、カップ容器７の上端に開放部が形成され、カップ容器７の上端に蓋体８が設けられ、蓋体８によりカップ容器７を密閉状態にさせる。蓋体８がカップ容器７の上に位置される場合は、蓋体８の下端縁部８１がちょうどフィルター部材７３上部に附勢され、上記蓋体８の上にトップ蓋８２を覆う、上記トップ蓋８２の中間部に貫通孔８２１があり、上記貫通孔８２１はカップ容器７の内部に貫通することができる。
【００１７】
本考案の実施例は、図６に示すように、まず、カップ容器７を台座４の上端に設置し、かきまわそうとする食材をカップ容器７に入れ、蓋体８をカップ容器７の上端に被せ、この場合はカップ容器８にあるトップ蓋８１から食材か水を加えてもよく、制御台座４の制御パネル４１により台座４１の動力ユニット５（モーター）が起動され、更に、制御パネル４１により動力ユニット５の回転速度を選択し、上記動力ユニット５はカップ容器７におけるカッター６を回転させることができる。カップ容器７における食材に対してかきまわしを行い、こうして、食材を砕くことが可能となり、食材を砕く際、カップ容器７の注ぎ口７２上に設置される栓部材Ｖの操作により、カップ容器７内で汁或いは粒子状となる食材を、フィルター部材７３のフィルターを経由して注ぎ口７２を介して栓部材Ｖから流出させる。
【図面の簡単な説明】
【００１８】
【図１】従来に係るジューサーを示す傾斜図。
【図２】別の従来のジューサーを示す傾斜図。
【図３】台湾の９１２１９１５０号公告を示す分解図。
【図４】台湾の９２２２１０７７号公告を示す分解図。
【図５】本考案を示す分解図。
【図６】本考案を示す実施図。
【図７】本考案を示す別の実施図。
【図８】図７を示す概略図。
【符号の説明】
【００１９】
３      ジューサー
４      台座
４１    制御ユニット
５      動力ユニット
５１    連動部材
６      カッター
７      カップ容器７
７１    取っ手
７２    注ぎ口
７３    フィルター部材７３
７３a    フィルター部材
７４    スライド溝
８      蓋
８１    下端縁部
８２    トップ蓋
８２１  貫通孔
Ｖ      栓部材
【図１】
0003115671.tif 000003
【図２】
0003115671.tif 000004
【図３】
0003115671.tif 000005
【図４】
0003115671.tif 000006
【図５】
0003115671.tif 000007
【図６】
0003115671.tif 000008
【図７】
0003115671.tif 000009
【図８】
0003115671.tif 000010